(57)【特許請求の範囲】
【請求項１】
汚物を受けるボウル部と、
前記ボウル部に接続され前記汚物を排出するとともに前記ボウル部に溜水を形成する排水トラップ機構と、
供給電力により電気的に駆動され前記ボウル部に洗浄水を供給する洗浄水供給手段と、
停電時に前記洗浄水供給手段を非常用電源により電気的に駆動させる制御部と、
を備え、
前記排水トラップ機構は、
前記ボウル部の内部の水位を初期水位よりも上昇させるため前記排水トラップ機構を機械的に変動させる可動部と、
前記停電時に使用者の操作に基づいて前記可動部を作動させる操作部と、
を有し、
前記操作部は、前記停電時に前記使用者の操作に基づいて前記可動部を作動させるとともに操作信号を前記制御部に送信し、
前記制御部は、前記操作信号を受信すると前記洗浄水供給手段を作動させ前記ボウル部に洗浄水を供給することを特徴とする水洗大便器。
【請求項２】
汚物を受けるボウル部と、
前記ボウル部に接続され前記汚物を排出するとともに前記ボウル部に溜水を形成する排水トラップ機構と、
供給電力により電気的に駆動され前記ボウル部に洗浄水を供給する洗浄水供給手段と、
停電時に前記洗浄水供給手段を非常用電源により電気的に駆動させる制御部と、
を備え、
前記排水トラップ機構は、
前記排水トラップ機構を機械的に変動させて前記排水トラップ機構の内部の流路の断面積を狭くすることでサイホン発生前に前記ボウル部の内部の水位を初期水位よりも上昇させる可動部であって、前記上昇の後に、前記断面積を広くすることで前記ボウル部の内部の水を前記流路に流れ込ませ前記流路を満水にしてサイホン作用を引き起こす可動部と、
使用者の操作に基づいて前記可動部を作動させる操作部と、
を有し、
前記操作部は、前記停電時に前記使用者の操作に基づいて前記可動部を作動させるとともに操作信号を前記制御部に送信し、
前記制御部は、前記操作信号を受信すると前記洗浄水供給手段を作動させ前記ボウル部に洗浄水を供給することを特徴とする水洗大便器。
【請求項３】
前記制御部は、前記停電時に前記洗浄水供給手段を作動させ、前記ボウル部の内部の水位が前記ボウル部の内部の水を置換可能な水位になるまで第１のタイマ制御を実行することを特徴とする請求項１または２に記載の水洗大便器。
【請求項４】
前記ボウル部の内部の水位が前記ボウル部の内部の水を置換可能な水位になると前記使用者に報知を行う報知手段をさらに備えたことを特徴とする請求項３記載の水洗大便器。
【請求項５】
吐水瞬間流量および給水圧力の少なくともいずれかを検知する検知手段をさらに備え、
前記制御部は、前記検知手段の検知結果に応じて前記第１のタイマ制御の時間を設定することを特徴とする請求項３または４に記載の水洗大便器。
【請求項６】
前記制御部は、前記停電時に便器洗浄を実行した後、前記可動部が初期状態であることを検出すると、前記洗浄水供給手段を作動させ第２のタイマ制御により前記ボウル部に洗浄水を再度供給することを特徴とする請求項１〜５のいずれか１つに記載の水洗大便器。
【請求項７】
吐水瞬間流量および給水圧力の少なくともいずれかを検知する検知手段をさらに備え、
前記制御部は、前記検知手段の検知結果に応じて前記第２のタイマ制御の時間を設定することを特徴とする請求項６記載の水洗大便器。
【請求項８】
前記可動部は、
前記排水トラップ機構が有する排水ソケットの内側壁と係合可能な支持軸と、
前記支持軸を中心として上下方向に回動することにより前記排水ソケットの流路の断面積を変化させる弁体と、
を有する開閉弁を含み、
前記操作部は、前記支持軸に連結され、外部からの操作により前記弁体を前記上下方向に回動させることを特徴とする請求項１〜７のいずれか１つに記載の水洗大便器。
【発明の詳細な説明】
【技術分野】
【０００１】
本発明の態様は、一般的に、水洗大便器に関し、具体的には洗浄水によって洗浄される水洗大便器に関する。
【背景技術】
【０００２】
洗浄水供給手段を電力により駆動し、便器洗浄を行う水洗大便器がある（特許文献１）。特許文献１に記載された水洗大便器において、洗浄水供給手段の作動中に停電になると、排水トラップ管路とボウル部との連通を封止するための必要な洗浄水量を確保することができなくなる。そのため、加圧ポンプの回転部の慣性力による回転によって必要な量の洗浄水をジェット吐水口に供給し、排水トラップ管路とボウル部との連通を封止している。
【０００３】
このように、特許文献１に記載された水洗大便器においては、排水トラップ管路とボウル部との連通を封止する洗浄水の補充については考慮されている一方で、停電になると便器洗浄自体を行うことが困難になるという点においては改善の余地がある。すなわち、使用者は、バケツ等で水を汲み、便器のボウル部にバケツ等で汲んだ水を流し込む必要がある。そのため、手間と時間がかかるという問題がある。これは、高齢者や疾病者に対しては好ましいものではない。
【０００４】
また、排水管部の終端開口部を開閉するフラッパー弁を備えた水洗便器がある（特許文献２）。特許文献２に記載された水洗便器は、通常時にはモーター駆動でフラッパー弁を開閉することにより便器洗浄を行い、停電時には手動でフラッパー弁を動かすことにより便器洗浄を行う。しかし、特許文献２に記載された水洗便器においては、使用者は、停電時に手動でフラッパー弁を動かし汚物を排出した後、洗浄水を給水するため、バケツ等で水を汲み、便器のボウル部にバケツ等で汲んだ水を流し込む必要がある。そのため、使用者にとっては、手間と時間がかかる。また、十分な水がボウル部に流し込まれていないと、洗浄性能が得られないという問題がある。つまり、洗浄不良となるおそれがある。
【先行技術文献】
【特許文献】
【０００５】
【特許文献１】特開２００８−１７４９４４号公報
【特許文献２】特開平８−３５２４８号公報
【発明の概要】
【発明が解決しようとする課題】
【０００６】
本発明は、かかる課題の認識に基づいてなされたものであり、停電時においても使用者がバケツ等で水を汲む作業を行うことなく、容易にあるいは確実に便器洗浄を行うことができる水洗大便器を提供することを目的とする。
【課題を解決するための手段】
【０００７】
第１の発明は、汚物を受けるボウル部と、前記ボウル部に接続され前記汚物を排出するとともに前記ボウル部に溜水を形成する排水トラップ機構と、供給電力により電気的に駆動され前記ボウル部に洗浄水を供給する洗浄水供給手段と、停電時に前記洗浄水供給手段を非常用電源により電気的に駆動させる制御部と、を備え、前記排水トラップ機構は、前記ボウル部の内部の水位を初期水位よりも上昇させるため前記排水トラップ機構を機械的に変動させる可動部と、前記停電時に使用者の操作に基づいて前記可動部を作動させる操作部と、を有し、前記操作部は、前記停電時に前記使用者の操作に基づいて前記可動部を作動させるとともに操作信号を前記制御部に送信し、前記制御部は、前記操作信号を受信すると前記洗浄水供給手段を作動させ前記ボウル部に洗浄水を供給することを特徴とする水洗大便器である。  
第２の発明は、汚物を受けるボウル部と、前記ボウル部に接続され前記汚物を排出するとともに前記ボウル部に溜水を形成する排水トラップ機構と、供給電力により電気的に駆動され前記ボウル部に洗浄水を供給する洗浄水供給手段と、停電時に前記洗浄水供給手段を非常用電源により電気的に駆動させる制御部と、を備え、前記排水トラップ機構は、前記排水トラップ機構を機械的に変動させて前記排水トラップ機構の内部の流路の断面積を狭くすることでサイホン発生前に前記ボウル部の内部の水位を初期水位よりも上昇させる可動部であって、前記上昇の後に、前記断面積を広くすることで前記ボウル部の内部の水を前記流路に流れ込ませ前記流路を満水にしてサイホン作用を引き起こす可動部と、使用者の操作に基づいて前記可動部を作動させる操作部と、を有し、前記操作部は、前記停電時に前記使用者の操作に基づいて前記可動部を作動させるとともに操作信号を前記制御部に送信し、前記制御部は、前記操作信号を受信すると前記洗浄水供給手段を作動させ前記ボウル部に洗浄水を供給することを特徴とする水洗大便器である。
【０００８】
この水洗大便器によれば、使用者は、停電時に操作部を操作することにより操作信号を制御部に送信することができる。操作部から操作信号を受信した制御部は、非常用電源により電磁弁を作動させボウル部へ洗浄水を供給する。そのため、停電時においても、使用者は、バケツ等で水を汲む作業を行うことなく、容易に及び確実に便器洗浄を行うことができる。
【０００９】
第３の発明は、第１または２の発明において、前記制御部は、前記停電時に前記洗浄水供給手段を作動させ、前記ボウル部の内部の水位が前記ボウル部の内部の水を置換可能な水位になるまで第１のタイマ制御を実行することを特徴とする水洗大便器である。
【００１０】
この水洗大便器によれば、ボウル部の内部の水を置換可能な水位までボウル部の内部に確実に水を溜めることができる。ボウル部の内部への洗浄水の供給が停止すると、使用者は、開閉弁を初期状態（開状態）に戻し、便器洗浄を実行することができる。そのため、操作に不慣れな使用者でも、停電時において、確実に便器洗浄を行うことができる。
【００１１】
第４の発明は、第３の発明において、前記ボウル部の内部の水位が前記ボウル部の内部の水を置換可能な水位になると前記使用者に報知を行う報知手段をさらに備えたことを特徴とする水洗大便器である。
【００１２】
この水洗大便器によれば、ボウル部の内部の水を置換可能な水位までボウル部の内部に水が溜まると、使用者に対して報知手段により報知を行う。そのため、報知手段による報知があった後に、使用者は、開閉弁を初期状態に戻し、便器洗浄を実行することができる。そのため、操作に不慣れな使用者でも、停電時において、容易および確実に便器洗浄を行うことができる。
【００１３】
第５の発明は、第３または４の発明において、吐水瞬間流量および給水圧力の少なくともいずれかを検知する検知手段をさらに備え、前記制御部は、前記検知手段の検知結果に応じて前記第１のタイマ制御の時間を設定することを特徴とする水洗大便器である。
【００１４】
この水洗大便器によれば、設置現場の吐水瞬間流量および給水圧力の少なくともいずれかに応じて、第１のタイマ制御の時間が設定される。そのため、ボウル部の内部の水がボウル面から溢れることを抑制することができるとともに、ボウル部の内部の水を置換可能な水位をより確実に確保することができる。
【００１５】
第６の発明は、第１〜５のいずれか１つの発明において、前記制御部は、前記停電時に便器洗浄を実行した後、前記可動部が初期状態であることを検出すると、前記洗浄水供給手段を作動させ第２のタイマ制御により前記ボウル部に洗浄水を再度供給することを特徴とする水洗大便器である。
【００１６】
この水洗大便器によれば、制御部は、開閉弁が初期状態であることを検知すると、ボウル部へ洗浄水を再度供給する。これにより、ボウル部外に洗浄水が溢れることを抑制することができる。また、ボウル部の内部の溜水の水位を初期水位に回復することができる。そのため、操作に不慣れな使用者でも、停電時において、確実に便器洗浄を行うことができる。
【００１７】
第７の発明は、第６の発明において、吐水瞬間流量および給水圧力の少なくともいずれかを検知する検知手段をさらに備え、前記制御部は、前記検知手段の検知結果に応じて前記第２のタイマ制御の時間を設定することを特徴とする水洗大便器である。
【００１８】
この水洗大便器によれば、設置現場の吐水瞬間流量および給水圧力の少なくともいずれかに応じて、第２のタイマ制御の時間が設定される。そのため、初期水位を安定化させることができるとともに、ボウル部の内部の水がボウル面から溢れることを抑制することができる。
【００１９】
第８の発明は、第１〜７のいずれか１つの発明において、前記可動部は、前記排水トラップ機構が有する排水ソケットの内側壁と係合可能な支持軸と、前記支持軸を中心として上下方向に回動することにより前記排水ソケットの流路の断面積を変化させる弁体と、を有する開閉弁を含み、前記操作部は、前記支持軸に連結され、外部からの操作により前記弁体を前記上下方向に回動させることを特徴とする水洗大便器である。
【００２０】
この水洗大便器によれば、開閉弁の外部からの操作により、排水ソケットの流路の断面積を変化させることができる。そのため、開閉弁がしばらく使用されず、弁体が排水ソケットの内側壁に固着していても、回動操作により簡単に固着状態を破壊することができる。これにより、確実に便器洗浄を行うことができる。
【発明の効果】
【００２１】
本発明の態様によれば、停電時においても使用者がバケツ等で水を汲む作業を行うことなく、容易にあるいは確実に便器洗浄を行うことができる水洗大便器が提供される。
【図面の簡単な説明】
【００２２】
【図１】本発明の実施の形態にかかる水洗大便器を表す模式的斜視図である。
【図２】本実施形態にかかる水洗大便器を表す模式的断面図である。
【図３】本実施形態にかかる水洗大便器の要部構成を表すブロック図である。
【図４】停電時における便器洗浄の動作の概略を説明する模式的断面図である。
【図５】停電時における便器洗浄の動作の概略を説明するタイミングチャート図である。
【図６】吐水時間と初水位からの水位高さとの関係の一例を例示するグラフ図である。
【図７】停電時における便器洗浄の動作の具体例を例示するフローチャート図である。
【図８】停電時における便器洗浄の動作の他の具体例を例示するタイミングチャート図である。
【図９】停電時における便器洗浄の動作のさらに他の具体例を例示するタイミングチャート図である。
【図１０】停電時における便器洗浄の動作のさらに他の具体例を例示するタイミングチャート図である。
【図１１】停電時における便器洗浄の動作のさらに他の具体例を例示するフローチャート図である。
【図１２】本実施形態の開閉弁の近傍を拡大した模式的断面図である。
【図１３】本実施形態の開閉弁を表す模式的平面図である。
【図１４】本実施形態の排水ソケット本体と開閉弁との関係を説明する模式図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、本発明の実施の形態にかかる水洗大便器を表す模式的斜視図である。  
図１（ａ）は、本実施形態にかかる水洗大便器１０を斜め後方から眺めた模式的斜視図である。図１（ｂ）は、本実施形態にかかる水洗大便器１０を図１（ａ）に表した矢印Ａ１の方向にみたときの模式的斜視図である。
【００２４】
図１（ａ）および図１（ｂ）に表したように、本実施形態にかかる水洗大便器１０は、ボウル部１１０と、排水トラップ機構３００と、を備える。排水トラップ機構３００は、排水トラップ部１２０と、排水ソケット２００と、を有する。  
言い換えれば、本実施形態にかかる水洗大便器１０は、便器本体１００と、排水ソケット２００と、を備える。  
便器本体１００は、ボウル部１１０と、排水トラップ部１２０と、を有する。ボウル部１１０は、使用者から排泄された汚物や尿などを受けることができる。排水トラップ部１２０は、ボウル部１１０に接続され、汚物を排水管５０に排出することができる。また、排水トラップ部１２０は、ボウル部１１０に溜水を形成し、例えば排水管５０から悪臭や害虫類などが室内に侵入することを防止する。なお、図示しない便座が、便器本体１００の上面において便器本体１００に対して回動自在に軸支されている。
【００２５】
排水ソケット２００は、便器本体１００の内部に設けられ、排水トラップ部１２０の下流端１２１と、排水管５０の上流端と、を接続する。排水ソケット２００は、排水ソケット本体２１０と、パッキン２２０と、操作部２３０と、を有する。パッキン２２０は、排水ソケット本体２１０の上端部に設けられ、例えばゴムなどの弾力性を有する材料により形成されている。また、パッキン２２０は、上下方向に貫通する貫通孔を有する。排水トラップ部１２０の下流端１２１は、パッキン２２０の貫通孔に挿入され保持されている。
【００２６】
なお、本願明細書においては、便器本体１００の前に立った使用者からみて手前側を「前方」とし、奥側を「後方」とする。また、便器本体１００の前に立った使用者からみて右側を「右側方」とし、左側を「左側方」とする。便器本体１００の前に立った使用者からみて上方を「上方」とし、下方を「下方」とする。
【００２７】
操作部２３０は、例えばレリースワイヤなどである。すなわち、図１（ａ）および図１（ｂ）に表した操作部２３０は、アウターチューブ２３１と、インナーワイヤ２３３と、把持部２３６と、を有する。インナーワイヤ２３３は、アウターチューブ２３１の内部を移動自在に設けられている。例えば、使用者が把持部２３６を掴み引っ張ると、インナーワイヤ２３３は、アウターチューブ２３１の内部から引き出される方向へ移動する。但し、操作部２３０は、レリースワイヤに限定されるわけではない。操作部２３０は、例えば、回転可能なハンドルなどであってもよい。
【００２８】
図１（ａ）および図１（ｂ）に表したように、操作部２３０は、便器本体１００の後方へ引き出されている。なお、図１（ａ）に表した操作部２３０は、説明の便宜上、便器本体１００の外部へ引き出されている。図１（ｂ）に表したように、操作部２３０が便器本体１００に取り付けられた状態では、インナーワイヤ２３３、アウターチューブ２３１および把持部２３６は、便器本体１００の内部において適宜配置されている。例えば、使用者は、便器本体１００の側部に取り付けられたパネル１０１を取り外すことにより、把持部２３６をより容易に掴み操作することができる。なお、操作部２３０の設置形態は、これだけに限定されるわけではない。
【００２９】
図２は、本実施形態にかかる水洗大便器を表す模式的断面図である。  
また、図３は、本実施形態にかかる水洗大便器の要部構成を表すブロック図である。  
なお、図２（ａ）および図２（ｂ）は、図１に表した切断面Ｂ−Ｂにおける模式的断面図である。図２（ａ）は、本実施形態の開閉弁が開いた状態を表す模式的断面図である。図２（ｂ）は、本実施形態の開閉弁が閉じた状態を表す模式的断面図である。図３は、水路系と電気系の要部構成を併せて表している。
【００３０】
まず、図３を参照しつつ本実施形態にかかる水洗大便器１０の要部構成について説明する。  
便器本体１００の後方には、洗浄水供給手段１５０が配置されている。洗浄水供給手段１５０は、以下のように、供給電力により電気的に駆動されボウル部１１０に洗浄水を供給することができる。
【００３１】
洗浄水供給手段１５０には、定流量弁１５５と、電磁弁１５６と、リム吐水用バキュームブレーカ１６４と、が設けられている。さらに、給水路１５１には、貯水タンク１７７への給水とリム吐水とを切り替える切替弁１５７と、貯水タンク１７７と、加圧ポンプ１７３と、ジェット吐水用バキュームブレーカ１６６と、水抜栓１７１と、が内蔵されている。また、洗浄水供給手段１５０には、電磁弁１５６の開閉操作、切替弁１５７の切換操作、及び、加圧ポンプ１７３の回転数や作動時間等を制御する制御部１７４が内蔵されている。
【００３２】
定流量弁１５５は、止水栓１５２、ストレーナ１５３、及び分岐金具１５４を介して流入した洗浄水を、所定の流量以下に絞る。本実施形態においては、この定流量弁１５５は、洗浄水の流量を１６リットル／分以下に制限する。また、定流量弁１５５を通過した洗浄水は、電磁弁１５６に流入し、電磁弁１５６を通過した洗浄水は、切替弁１５７により、リム吐水口１１３又は貯水タンク１７７に供給される。
【００３３】
電磁弁１５６は、制御部１７４の制御信号により開閉され、供給された洗浄水を切替弁１５７に流入させ、又は停止させる。  
また、切替弁１５７は、制御部１７４の制御信号により切り替えられ、電磁弁１５６を介して流入した洗浄水をリム吐水口１１３から吐出させ、又は、貯水タンク１７７に流入させる。
【００３４】
リム吐水用バキュームブレーカ１６４は、切替弁１５７を通過した洗浄水をリム吐水口１１３へ導くリム側給水路１５９の途中に配置され、洗浄水のリム吐水口１１３からの逆流を防止している。また、リム吐水用バキュームブレーカ１６４は、ボウル部１１０の上端面よりも上方に配置され、これにより、逆流を確実に防止している。さらに、リム吐水用バキュームブレーカ１６４の大気開放部から溢れた洗浄水は、戻り管路１６５を通ってフロート式逆止弁１６９を介して貯水タンク１７７に流入する。
【００３５】
貯水タンク１７７は、ジェット吐水口１１１から吐水すべき洗浄水を貯水する。なお、本実施形態において、貯水タンク１７７は、約２．５リットルの内容積を有する。
【００３６】
さらに、本実施形態においては、タンク側給水路１６１の先端（下端）はフロート式逆止弁１６７に接続されており、貯水タンク１７７からタンク側給水路１６１への逆流を防止している。また、貯水タンク１７７の内部には、上端フロートスイッチ１７５及び下端フロートスイッチ１７６が配置されており、貯水タンク１７７内の水位を検出できるようになっている。上端フロートスイッチ１７５は、貯水タンク１７７内の水位が所定の貯水水位に達するとオンに切り替わり、制御部１７４はこれを検知して、電磁弁１５６を閉鎖させる。一方、下端フロートスイッチ１７６は、貯水タンク１７７内の水位が所定の水位まで低下するとオンに切り替わり、制御部１７４はこれを検知して、加圧ポンプ１７３を停止させる。
【００３７】
加圧ポンプ１７３は、貯水タンク１７７に貯水された洗浄水を加圧して、ジェット吐水口１１１から吐出させる。加圧ポンプ１７３は、貯水タンク１７７から延びるポンプ側給水路１６２により接続され、貯水タンク１７７内に貯水された洗浄水を加圧する。なお、本実施形態においては、加圧ポンプ１７３は、貯水タンク１７７内の洗浄水を加圧して、洗浄水を最大約１２０リットル／分の流量でジェット吐水口１１１から吐出させる。
【００３８】
また、加圧ポンプ１７３よりも下方の、貯水タンク１７７の下端部付近の高さにおいて、水抜栓１７１が配置されている。このため、水抜栓１７１を開放することにより、メンテナンス時等に貯水タンク１７７内及び加圧ポンプ１７３内の洗浄水を排出することができる。また、加圧ポンプ１７３の下方には、水受けトレイ１７２が配置されている。水受けトレイ１７２は、結露した水滴や漏水を受ける。
【００３９】
一方、加圧ポンプ１７３の流出口は、ジェット側給水路１６３を介して、ボウル部１１０の底部のジェット吐水口１１１に接続されている。このジェット側給水路１６３の途中は、上方に向けて凸型に形成されており、この凸型部分の最も高い部分であるジェット側給水路頂部１６３ａは、貯水タンク１７７からジェット吐水口１１１に至る洗浄水管路の中で最も高い部分になっている。さらに、図３に表したように、ジェット側給水路１６３のジェット側給水路頂部１６３ａよりも下流側は、前述したジェット吐水口１１１と同じレベル（高さ）に設定されている。
【００４０】
ジェット側給水路１６３には、一端にオーバーフロー口１６８ａを有するオーバーフロー流路１６８が接続されている。オーバーフロー口１６８ａは、上端フロートスイッチ１７５よりも上方に設けられている。貯水タンク１７７内の水位が上端フロートスイッチ１７５よりも高くなった場合には、貯水タンク１７７内の水は、オーバーフロー口１６８ａからオーバーフロー流路１６８に流入し、加圧ポンプ１７３により加圧され、フラッパー弁１７８を介してジェット吐水口１１１から吐出される。
【００４１】
ジェット吐水用バキュームブレーカ１６６は、切替弁１５７を通過した洗浄水を貯水タンク１７７へ導くタンク側給水路１６１の途中に配置され、洗浄水の貯水タンク１７７からの逆流を防止している。また、ジェット吐水用バキュームブレーカ１６６の大気開放部から溢れた洗浄水は、戻り管路１６５を通ってフロート式逆止弁１６９を介して貯水タンク１７７に流入するようになっている。
【００４２】
制御部１７４は、使用者による便器洗浄スイッチ（図示せず）の操作により、電磁弁１５６、切替弁１５７、加圧ポンプ１７３を順次作動させ、リム吐水口１１３及びジェット吐水口１１１からの吐水を順次開始させて、ボウル部１１０を洗浄する。さらに、制御部１７４は、洗浄終了後、電磁弁１５６を開放し、切替弁１５７を貯水タンク１７７側に切り替えて洗浄水を貯水タンク１７７に補給する。貯水タンク１７７内の水位が上昇し、上端フロートスイッチ１７５が規定の貯水量を検出すると、制御部１７４は、電磁弁１５６を閉鎖して給水を停止する。
【００４３】
図３に表した本実施形態においては、切替弁１５７を切替えることにより、リム側給水路１５９を経由してリム吐水口１１３に洗浄水を供給し、また、タンク側給水路１６１を経由してフロート式逆止弁１６７を介して貯水タンク１７７に洗浄水を補給する。  
これに対して、本実施形態においては、変形例として、図３に表した電磁弁１５６及び切替弁１５７に代えて、リム吐水用電磁弁及びタンク給水用電磁弁を設けるようにしても良い。具体的には、このリム吐水用電磁弁は、定流量弁１５５の下流側に設けられ、リム側給水路１５９に接続されている。また、タンク給水用電磁弁は、定流量弁１５５の下流側に設けられ、タンク側給水路１６１に接続されている。さらに、これらのリム吐水用電磁弁及びタンク給水用電磁弁の開閉操作（ＯＮ及びＯＦＦ操作）は、制御部１７４からの制御信号により行われる。
【００４４】
本実施形態にかかる水洗大便器１０は、非常用電源１３１と、報知手段１３３と、を備える。非常用電源１３１は、制御部１７４、電磁弁１５６および報知手段１３３を作動させることができる。非常用電源１３１としては、例えば電池やコンデンサなどが挙げられる。報知手段１３３は、例えば音を鳴らしたり光を発することにより、使用者に所定の情報を報知する。
【００４５】
次に、本実施形態にかかる水洗大便器１０の作用（動作）について説明する。  
待機状態において、便器洗浄スイッチ（図示せず）が操作されると、１回目のリム吐水（前リム洗浄）が開始される。即ち、使用者が便器洗浄スイッチ（図示せず）を操作すると、制御部１７４は電磁弁１５６に信号を送って開放させると共に、切替弁１５７をリム吐水口１１３の側に切り替え、水道の給水圧力によりリム吐水口１１３から洗浄水を吐出させる。電磁弁１５６が開放されると、水道から供給された洗浄水が止水栓１５２、ストレーナ１５３、分岐金具１５４を経て定流量弁１５５に流入する。定流量弁１５５では、水道の給水圧力が高い場合には、通過する洗浄水の流量が所定流量に制限され、給水圧力が低い場合には、洗浄水は流れを制限されることなくそのまま通過される。定流量弁１５５を通過した洗浄水は、電磁弁１５６、切替弁１５７を通過し、リム吐水用バキュームブレーカ１６４、リム側給水路１５９を通って、ボウル部１１０の上部の後方左側に開口したリム吐水口１１３から吐出される。リム吐水口１１３から吐出された洗浄水は、ボウル部１１０内を旋回しながら下方へ流下し、ボウル部１１０の内壁面が洗浄される。
【００４６】
その後、ジェット吐水が開始されるが、この間もリム吐水口１１３からは洗浄水の吐水が続いている。  
まず、制御部１７４は、加圧ポンプ１７３に信号を送ってこれを起動させる。加圧ポンプ１７３が起動されると、貯水タンク１７７内に貯水されていた洗浄水は、加圧ポンプ１７３に流入し、加圧される。加圧ポンプ１７３によって加圧された洗浄水は、ジェット側給水路１６３のジェット側給水路頂部１６３ａを通って、ボウル部１１０の底部に開口したジェット吐水口１１１から吐出される。
【００４７】
ジェット吐水口１１１から吐出された洗浄水は排水トラップ部１２０内に流入し、排水トラップ部１２０を満水にしてサイホン作用を引き起こす。このサイホン作用により、ボウル部１１０内の溜水及び汚物は、排水トラップ部１２０に吸引され、排水管５０から排出される。
【００４８】
加圧ポンプ１７３によってジェット吐水口１１１から洗浄水が吐出されると、貯水タンク１７７内の水位が降下し、下端フロートスイッチ１７６がＯＮになる。下端フロートスイッチ１７６がＯＮになると、制御部１７４は、貯水タンク１７７内に貯水されていた洗浄水が無くなったことを検知し、加圧ポンプ１７３に信号を送ってこれを停止させ、ジェット吐水を終了させる。継続的に行われているリム吐水口１１３からの吐水によりボウル部１１０内の溜水の水位は上昇し、所定のリム吐水時間経過後、ボウル部１１０内は所定の溜水水位に到達する（リフィール）。
【００４９】
リム吐水終了後、貯水タンク１７７の洗浄水が補給される。このとき、前述したように、制御部１７４は、電磁弁１５６を開放状態に保持した状態で、切替弁１５７に信号を送って、これを貯水タンク１７７側に切り替え、洗浄水は、貯水タンク１７７内に流入する。
【００５０】
貯水タンク１７７内に洗浄水が補給され、貯水タンク１７７内の水位が規定の貯水水位に達すると、上端フロートスイッチ１７５がＯＮになる。上端フロートスイッチ１７５がＯＮになると、制御部１７４は電磁弁１５６に信号を送り、これを閉鎖させる。また、制御部１７４は、切替弁１５７に信号を送って、これをリム吐水口１１３の側に切り替える。そして、水洗大便器１０は、待機状態となる。
【００５１】
以上説明したように、本実施形態にかかる水洗大便器１０は、制御部１７４からの信号により電磁弁１５６、切替弁１５７、および加圧ポンプ１７３などの動作を制御し、リム吐水口１１３あるいはジェット吐水口１１１から洗浄水を吐出させて便器洗浄を行う。ここで、停電になると、制御部１７４、電磁弁１５６、切替弁１５７、および加圧ポンプ１７３などの動作が停止し、便器洗浄自体を行うことが困難となる。例えば、使用者は、バケツ等で水を汲み、便器本体１００のボウル部１１０にバケツ等で汲んだ水を流し込む必要がある。そのため、手間と時間がかかる。これは、高齢者や疾病者に対しては好ましいものではない。
【００５２】
これに対して、本実施形態にかかる水洗大便器１０の排水ソケット２００は、開閉弁（可動部）２４０を有する。開閉弁２４０は、通常時（通電時あるいは電力供給時）には、図２（ａ）に表したように開状態に維持され、排水ソケット本体２１０の流路断面積を変化させてはいない。一方、開閉弁２４０は、停電時において、使用者の操作部２３０（図１および図３参照）の操作により排水ソケット本体２１０の流路断面積を変化させることができる。すなわち、開閉弁２４０は、排水トラップ部１２０に接続された流路を機械的に変動させる。言い換えれば、開閉弁２４０は、排水トラップ機構３００を機械的に変動させる。
【００５３】
なお、可動部は、開閉弁２４０に限定されず、ターントラップ部であってもよい。この場合、ターントラップは、電動で上下回動し、ボウル部内に貯水された洗浄水を汚水と共に排出させることができる。  
また、本実施形態では、可動部が排水ソケット２００に設けられた場合を説明したが、可動部は、排水トラップ部１２０に設けられていてもよい。
【００５４】
具体的には、開閉弁２４０は、支持軸２４３を有し、その支持軸２４３において排水ソケット本体２１０に対して回動自在に軸支されている。また、後に詳述するように、開閉弁２４０の支持軸２４３は、操作部２３０と連結されている。そのため、使用者は、操作部２３０を適宜操作することで、図２（ａ）に表した矢印Ａ１のように、支持軸２４３を略中心として開閉弁２４０を回動させることができる。そして、図２（ｂ）に表したように、使用者は、開閉弁２４０により排水ソケット本体２１０の流路断面積を狭くし、排水ソケット本体２１０の流路をほぼ閉鎖状態とすることができる。
【００５５】
なお、開閉弁２４０は、排水ソケット本体２１０の流路を完全に閉鎖する必要はない。すなわち、開閉弁２４０が排水ソケット本体２１０の流路を閉鎖した状態において、リム吐水口１１３およびジェット吐水口１１１から供給される洗浄水によりボウル部１１０の内部の水位を初期水位よりも上昇させることができれば、開閉弁２４０と排水ソケット本体２１０の流路との間に隙間が生じていてもよい。
【００５６】
この状態において、使用者は、非常用電源１３１により制御部１７４および電磁弁１５６を動作させ、リム吐水口１１３およびジェット吐水口１１１の少なくともいずれかからボウル部１１０へ洗浄水を供給する。このとき、リム吐水口１１３から供給される洗浄水の流量だけでは、排水トラップ部１２０を満水にできず、サイホン作用を引き起こすことはできない。また、非常用電源１３１により加圧ポンプ１７３を駆動させることは困難である。そのため、オーバーフロー口１６８ａからオーバーフロー流路１６８に流入した水が、フラッパー弁１７８を介してジェット吐水口１１１から供給される。このとき、ジェット吐水口１１１から供給される洗浄水の流量だけでは、リム吐水口１１３からの洗浄水の供給と同様に、排水トラップ部１２０を満水にできず、サイホン作用を引き起こすことはできない。
【００５７】
これに対して、本実施形態では、使用者は、停電時に操作部２３０を操作することにより開閉弁２４０を作動させ、排水ソケット本体２１０の流路断面積を狭くすることができる。また、使用者が停電時に操作部２３０を操作し開閉弁を作動させると、操作信号が制御部１７４へ送信される。制御部１７４は、操作部２３０から操作信号を受信すると、非常用電源１３１により電磁弁１５６を開く。これにより、停電時でも、リム吐水口１１３およびジェット吐水口１１１の少なくともいずれかからボウル部１１０へ洗浄水が供給される。
【００５８】
使用者は、開閉弁２４０により排水ソケット本体２１０の流路断面積を狭くしているため、リム吐水口１１３およびジェット吐水口１１１の少なくともいずれかから供給される洗浄水によりボウル部１１０の内部の水位を上昇させることができる。そして、ボウル部１１０の内部の水位が所定水位まで上昇した後に、使用者は、操作部２３０を適宜操作することで、図２（ｂ）に表した矢印Ａ２のように、開閉弁２４０を回動させる。すると、ボウル部１１０に滞留した大量の洗浄水が排水トラップ部１２０に流れ込むことで、排水トラップ部１２０を満水にしてサイホン作用を引き起こすことができる。
【００５９】
これによれば、使用者は、停電時に操作部２３０を操作することにより操作信号を制御部１７４に送信することができる。操作部２３０から操作信号を受信した制御部１７４は、非常用電源１３１により電磁弁１５６を作動させボウル部１１０へ洗浄水を供給する。そのため、停電時においても、使用者は、バケツ等で水を汲む作業を行うことなく、容易に及び確実に便器洗浄を行うことができる。
【００６０】
なお、本実施形態では、便器本体１００がサイホン作用により汚物等を排出するサイホン式の便器である場合を例に挙げて説明した。但し、本実施形態では、便器本体１００は、サイホン式の便器に限定されず、サイホン作用を生じないいわゆる「洗い落とし式」の便器であってもよい。便器本体１００が洗い落とし式の便器であっても、前述した効果と同様の効果が得られる。以下の説明では、説明の便宜上、便器本体１００がサイホン式の便器である場合を例に挙げる。
【００６１】
次に、停電時における便器洗浄の動作の概略について、図面を参照しつつ説明する。    図４は、停電時における便器洗浄の動作の概略を説明する模式的断面図である。  
図５は、停電時における便器洗浄の動作の概略を説明するタイミングチャート図である。
【００６２】
使用者が停電時において排泄行為を行う前においては、開閉弁２４０は、開状態（排水ソケット本体２１０の流路断面積が通常時から変化していない状態）とされている（タイミングｔ１）。  
続いて、使用者は、停電時に排泄行為を行ったときには、図４（ａ）に表したように、まず、操作部２３０を操作する（例えば把持部２３６を引っ張る）ことで支持軸２４３を略中心として開閉弁２４０を回動させ、開閉弁２４０により排水ソケット本体２１０の流路断面積を狭くする（タイミングｔ２）。つまり、使用者は、操作部２３０を操作することで開閉弁２４０を閉状態とする。
【００６３】
すると、操作信号が操作部２３０から制御部１７４へ送信される。すなわち、操作部２３０は、例えばリミットスイッチなどのスイッチを有し、使用者の操作によりスイッチが入ると操作信号を制御部１７４へ送信する。制御部１７４は、操作部２３０から操作信号を受信すると、非常用電源１３１により電磁弁１５６を開く。これにより、停電時でも、リム吐水口１１３およびジェット吐水口１１１の少なくともいずれかからボウル部１１０へ洗浄水が供給される。
【００６４】
開閉弁２４０と排水ソケット本体２１０の流路との間には、隙間が生じている。そのため、排水トラップ部１２０を通り開閉弁２４０へ到達した洗浄水のうちの一部の水は、開閉弁２４０と排水ソケット本体２１０の流路との間の隙間を通り排水管５０から排出される。このとき、リム吐水口１１３およびジェット吐水口１１１の少なくともいずれかからボウル部１１０へ供給される洗浄水の流量は、開閉弁２４０と排水ソケット本体２１０の流路との間の隙間を通過する洗浄水の流量よりも多い。そのため、図４（ｂ）に表したように、ボウル部１１０の内部の水位が上昇する。
【００６５】
続いて、制御部１７４は、電磁弁１５６が開いてから第１の時間Ｔ１が経過すると、非常用電源１３１により電磁弁１５６を閉じる（タイミングｔ３）。これにより、ボウル部１１０への洗浄水の供給が停止する。また、制御部１７４は、電磁弁１５６が開いてから第１の時間Ｔ１が経過すると、使用者に対して報知手段１３３により報知を行う。例えば、報知手段１３３は、電磁弁１５６が開いてから第１の時間Ｔ１が経過すると音を鳴らす。これにより、使用者は、電磁弁１５６が開いてから第１の時間Ｔ１が経過したことを知ることができる。
【００６６】
第１の時間Ｔ１は、電磁弁１５６が開いてから、ボウル部１１０の内部の水位がボウル部１１０を洗浄可能な水位となるまでの時間である。「ボウル部１１０を洗浄可能な水位」とは、例えば、ボウル部１１０の内部の水を排出可能あるいは置換可能な水位である。あるいは、「ボウル部１１０を洗浄可能な水位」とは、例えば、サイホン作用を発生させることが可能な水位である。第１の時間Ｔ１は、タイマ制御（第１のタイマ制御）により設定されている。
【００６７】
第１の時間Ｔ１については、水洗大便器１０の設置現場における吐水瞬間流量や水圧などに応じて適宜変更することができる。前述したように、第１の時間Ｔ１の経過中では、ボウル部１１０の内部の水位が上昇する。そのため、ボウル部１１０の内部の水がボウル面（便器本体１００の上面）から溢れないように、第１の時間Ｔ１を設定する必要がある。
【００６８】
図６は、吐水時間と初水位からの水位高さとの関係の一例を例示するグラフ図である。  図６に表したグラフ図の横軸は、吐水時間（秒）を表す。図６に表したグラフ図の縦軸は、初水位からの水位高さ（ミリメートル：ｍｍ）を表す。
【００６９】
図６は、本発明者が実施した検討の結果の一例を例示している。本検討に用いられた便器本体１００では、サイホン作用を発生させることが可能な水位Ｈ１は、初水位（初期水位）から７０ｍｍ以上である。また、本検討に用いられた便器本体１００では、初水位からボウル面までの距離は、１２５ｍｍである。本発明者は、吐水瞬間流量を「小」および「大」に設定した。本発明者は、開閉弁２４０と排水ソケット本体２１０の流路との間の隙間を通過する洗浄水の流量（漏れ量）を、それぞれの吐水瞬間流量において「多」および「少」に設定した。
【００７０】
図６に表したグラフ図によれば、各吐水瞬間流量および各漏れ量において、ボウル部１１０の内部の水がボウル面から溢れない水位であり、且つボウル部１１０を洗浄可能な水位（本検討ではサイホン作用を発生させることが可能な水位）となる吐水時間（第１の時間Ｔ１）は、約３０秒以上である。このようにして、第１の時間Ｔ１を設定することができる。なお、前述した第１の時間Ｔ１「約３０秒以上」は、一例であり、これだけに限定されるわけではない。
【００７１】
吐水瞬間流量については、例えば、上端フロートスイッチ（検知手段）１７５により測定することができる。すなわち、制御部１７４は、電磁弁１５６が開いてから上端フロートスイッチ１７５がＯＮになるまでの時間により、吐水瞬間流量を判断することができる。あるいは、制御部１７４は、図示しない瞬間流量計（検知手段）の検知結果に基づいて吐水瞬間流量を判断してもよい。あるいは、制御部１７４は、水圧計（検知手段）の検知結果に基づいて給水圧力を判断してもよい。
【００７２】
本実施形態にかかる水洗大便器１０は、非停電時の吐水時間を学習し、例えばＥＥＰＲＯＭ（Electronically Erasable and Programmable Read Only Memory）などの半導体メモリからなる不揮発性記憶部に記憶させておいてもよい。この場合には、制御部１７４は、停電時において、吐水瞬間流量に応じた吐水時間を記憶部から読み取り、第１の時間Ｔ１を設定することができる。
【００７３】
続いて、図４および図５に戻って停電時における便器洗浄の動作の概略を説明する。  
使用者は、ボウル部１１０への洗浄水の供給停止を確認すると、あるいは報知手段１３３による報知を確認すると、操作部２３０を操作する（例えば引っ張っていた把持部２３６を戻す）ことで開閉弁２４０を開状態とする（タイミングｔ３）。すると、図４（ｃ）に表したように、ボウル部１１０に滞留した大量の洗浄水が排水トラップ部１２０に流れ込むことで、排水トラップ部１２０が満水となり、サイホン作用が発生する。
【００７４】
また、使用者が操作部２３０を操作し開閉弁２４０を開状態とすると、操作信号が操作部２３０から制御部１７４へ送信される。すなわち、操作部２３０は、使用者の操作によりスイッチが切れると操作信号を制御部１７４へ送信する。制御部１７４は、操作部２３０から操作信号を受信すると、ボウル部１１０への洗浄水の供給を停止する第２の時間Ｔ２のタイマ制御を開始する（タイミングｔ３）。
【００７５】
第２の時間Ｔ２は、図４（ｄ）に表したように、開閉弁２４０が開状態となってからサイホン作用が終了するまでの時間である。すなわち、前述したように、制御部１７４は、電磁弁１５６が開いてから第１の時間Ｔ１が経過すると、電磁弁１５６を閉じてボウル部１１０への洗浄水の供給が停止させる。そのため、サイホン作用が発生してからしばらくすると、ボウル部１１０に滞留した大量の洗浄水が排出され、サイホン作用が終了する。
【００７６】
続いて、制御部１７４は、開閉弁２４０が開状態となってから第２の時間Ｔ２が経過すると、非常用電源１３１により電磁弁１５６を第３の時間Ｔ３だけ開く（タイミングｔ４〜ｔ５）。すると、図４（ｅ）に表したように、リム吐水口１１３およびジェット吐水口１１１の少なくともいずれかからボウル部１１０へ洗浄水が再度供給される（リフィール）。第３の時間Ｔ３は、タイマ制御（第２のタイマ制御）により設定されている。第３の時間Ｔ３については、第１の時間Ｔ１に関して前述した学習制御と同様に、制御部１７４は、停電時において、吐水瞬間流量に応じた吐水時間を記憶部から読み取り、第３の時間Ｔ３を設定することができる。
【００７７】
これにより、ボウル部１１０内の水位は、初水位に戻る。ボウル部１１０内の水位を初水位に戻す（リフィールを行う）ことにより、初水位を安定化させ、ボウル部１１０の内部の水がボウル面から溢れることを抑制することができる。
【００７８】
本実施形態にかかる水洗大便器１０の便器洗浄の動作によれば、ボウル部１１０の内部の水を排出可能あるいは置換可能な水位までボウル部１１０内に確実に水を溜めることができる。ボウル部１１０内への洗浄水の供給が停止すると、使用者は、開閉弁２４０を初期状態（開状態）に戻し、便器洗浄を実行することができる。そのため、操作に不慣れな使用者でも、停電時において、確実に便器洗浄を行うことができる。
【００７９】
また、ボウル部１１０の内部の水を排出可能あるいは置換可能な水位までボウル部１１０内に水が溜まると、制御部１７４は、使用者に対して報知手段１３３により報知を行う。そのため、報知手段１３３による報知があった後に、使用者は、開閉弁２４０を初期状態（開状態）に戻し、便器洗浄を実行することができる。そのため、操作に不慣れな使用者でも、停電時において、容易および確実に便器洗浄を行うことができる。
【００８０】
また、制御部１７４は、開閉弁２４０が初期状態（開状態）であることを検知すると、ボウル部１１０へ洗浄水を再度供給する。これにより、ボウル部１１０外に洗浄水が溢れることを抑制することができる。また、ボウル部１１０内の溜水の水位を初水位に回復することができる。そのため、操作に不慣れな使用者でも、停電時において、確実に便器洗浄を行うことができる。
【００８１】
次に、停電時における便器洗浄の動作の具体例について、図面を参照しつつ説明する。  図７は、停電時における便器洗浄の動作の具体例を例示するフローチャート図である。
【００８２】
使用者が操作部２３０を操作することでスイッチが入ると（ステップＳ１０１）、制御部１７４は、タイマ制御のカウントをリセットする（ステップＳ１０３）。制御部１７４は、操作部２３０のスイッチが入っている（開閉弁２４０が閉状態である）か否かを判断する（ステップＳ１０５）。操作部２３０のスイッチが入っている場合には（ステップＳ１０５：ｙｅｓ）、制御部１７４は、電磁弁１５６を開き（ステップＳ１０７）、タイマ制御のカウントを「１」だけ増加させる（ステップＳ１０９）。続いて、制御部１７４は、タイマ制御のカウントが第１の時間Ｔ１以上であるか否かを判断する（ステップＳ１１１）。第１の時間Ｔ１は、例えば約２５〜３５秒間程度である。タイマ制御のカウントが第１の時間Ｔ１以上である場合には（ステップＳ１１１：ｙｅｓ）、制御部１７４は、タイマ制御のカウントをリセットする（ステップＳ１１３）。一方、タイマ制御のカウントが第１の時間Ｔ１以上でない場合には（ステップＳ１１１：ｎｏ）、制御部１７４は、ステップＳ１０５に関して前述した制御を実行する。
【００８３】
ステップＳ１０５において、操作部２３０のスイッチが入っていない場合には（ステップＳ１０５：ｎｏ）、制御部１７４は、タイマ制御のカウントをリセットする（ステップＳ１１３）。
【００８４】
制御部１７４は、ステップＳ１１３に関して前述した制御を実行すると、電磁弁１５６を閉じる（ステップＳ１１５）。続いて、制御部１７４は、操作部２３０のスイッチが切れている（開閉弁２４０が開状態である）か否かを判断する（ステップＳ１１７）。操作部２３０のスイッチが切れている場合には（ステップＳ１１７：ｙｅｓ）、制御部１７４は、電磁弁１５６を閉じる（ステップＳ１１９）。一方、操作部２３０のスイッチが切れていない場合には（ステップＳ１１７：ｎｏ）、制御部１７４は、ステップＳ１１５に関して前述した制御を実行する。
【００８５】
制御部１７４は、ステップＳ１１３に関して前述した制御を実行すると、タイマ制御のカウントを「１」だけ増加させる（ステップＳ１２１）。続いて、制御部１７４は、タイマ制御のカウントが第２の時間Ｔ２以上であるか否かを判断する（ステップＳ１２３）。第２の時間Ｔ２は、例えば約１０秒程度である。タイマ制御のカウントが第２の時間Ｔ２以上である場合には（ステップＳ１２３：ｙｅｓ）、制御部１７４は、タイマ制御のカウントをリセットする（ステップＳ１２５）。一方、タイマ制御のカウントが第２の時間Ｔ２以上でない場合には（ステップＳ１２３：ｎｏ）、制御部１７４は、ステップＳ１１９に関して前述した制御を実行する。
【００８６】
制御部１７４は、ステップＳ１２５に関して前述した制御を実行すると、電磁弁１５６を開き（ステップＳ１２７）、タイマ制御のカウントを「１」だけ増加させる（ステップＳ１２９）。
【００８７】
続いて、制御部１７４は、タイマ制御のカウントが第３の時間Ｔ３以上であるか否かを判断する（ステップＳ１３１）。第３の時間Ｔ３は、例えば約１２〜１９秒程度である。タイマ制御のカウントが第３の時間Ｔ３以上である場合には（ステップＳ１３１：ｙｅｓ）、制御部１７４は、電磁弁１５６を閉じ（ステップＳ１３３）、タイマ制御のカウントをリセットし（ステップＳ１３５）、停電時における便器洗浄の動作を終了する（ステップＳ１３７）。一方、タイマ制御のカウントが第３の時間Ｔ３以上でない場合には（ステップＳ１３１：ｎｏ）、制御部１７４は、ステップＳ１２７に関して前述した制御を実行する。
【００８８】
本具体例によれば、停電時においても、使用者は、バケツ等で水を汲む作業を行うことなく、容易に及び確実に便器洗浄を行うことができる。また、図４および図５に関して前述した効果と同様の効果が得られる。
【００８９】
図８は、停電時における便器洗浄の動作の他の具体例を例示するタイミングチャート図である。  
本具体例は、ボウル部１１０の内部の水位がボウル部１１０を洗浄可能な水位となる前に、使用者が操作部２３０を操作し開閉弁２４０を開状態とする例である。
【００９０】
タイミングｔ１１〜ｔ１２の動作は、図５に関して前述したタイミングｔ１〜ｔ２の動作と同様である。  
続いて、例えば使用者が不意に操作部２３０を操作し開閉弁２４０を開状態とした場合などには、操作信号が操作部２３０から制御部１７４へ送信される。すなわち、操作部２３０は、使用者の不意の操作によりスイッチが切れると操作信号を制御部１７４へ送信する。制御部１７４は、操作部２３０から操作信号を受信すると、第１の時間Ｔ１が経過する前であっても電磁弁１５６を閉じる（タイミングｔ１３）。これにより、ボウル部１１０への洗浄水の供給が停止する。また、制御部１７４は、第２の時間Ｔ２のタイマ制御を開始する（タイミングｔ１３）。
【００９１】
このとき、第１の時間Ｔ１は、未だ経過していない。そのため、ボウル部１１０の内部の水位は、ボウル部１１０の内部の水を排出可能あるいは置換可能な水位まで上昇していない場合がある。そのため、ボウル部１１０の内部の水を排出あるいは置換することができない場合がある。具体的には、サイホン作用が発生しない場合がある。
【００９２】
続いて、制御部１７４は、開閉弁２４０が開状態となってから第２の時間Ｔ２が経過すると、非常用電源１３１により電磁弁１５６を第３の時間Ｔ３だけ開く（タイミングｔ１４〜ｔ１５）。すると、リム吐水口１１３およびジェット吐水口１１１の少なくともいずれかからボウル部１１０へ洗浄水が再度供給される。これにより、ボウル部１１０内の水位は、初水位に戻る。
【００９３】
本具体例によれば、第１の時間Ｔ１が経過する前に、使用者が操作部２３０を操作し開閉弁２４０を開状態とすると、制御部１７４は、電磁弁１５６を閉じ洗浄水の供給を停止する。そのため、ボウル部１１０の内部の水がボウル面から溢れることをより確実に抑制することができる。  
なお、開閉弁２４０が開状態となったときに（タイミングｔ１３）、ボウル部１１０の内部の水を排出あるいは置換することができない場合には、使用者は、操作部２３０を再度操作しボウル部１１０の内部の水位を上昇させる必要がある。
【００９４】
図９は、停電時における便器洗浄の動作のさらに他の具体例を例示するタイミングチャート図である。  
本具体例は、ボウル部１１０の内部の水位がボウル部１１０を洗浄可能な水位となった後、しばらくの間、使用者が開閉弁２４０を閉状態に維持する例である。
【００９５】
タイミングｔ２１〜ｔ２２の動作は、図５に関して前述したタイミングｔ１〜ｔ２の動作と同様である。  
続いて、制御部１７４は、電磁弁１５６が開いてから第１の時間Ｔ１が経過すると、非常用電源１３１により電磁弁１５６を閉じる（タイミングｔ２３）。これにより、ボウル部１１０への洗浄水の供給が停止する。また、制御部１７４は、電磁弁１５６が開いてから第１の時間Ｔ１が経過すると、使用者に対して報知手段１３３により報知を行う。
【００９６】
このとき、例えば使用者が洗浄水の供給の停止あるいは報知手段１３３の報知に気付かず開閉弁２４０を閉状態に維持している場合でも、制御部１７４は、電磁弁１５６が開いてから第１の時間Ｔ１が経過すると非常用電源１３１により電磁弁１５６を強制的に閉じる（タイミングｔ２３）。
【００９７】
図４および図５に関して前述したように、開閉弁２４０と排水ソケット本体２１０の流路との間には、隙間が生じている。そのため、洗浄水の供給が停止してからしばらくの間、使用者が開閉弁２４０を閉状態に維持すると、開閉弁２４０へ到達した洗浄水のうちの一部の水は、開閉弁２４０と排水ソケット本体２１０の流路との間の隙間を通り排水管５０から排出される。洗浄水の供給が停止しているため、ボウル部１１０の内部の水位は下降する。
【００９８】
そのため、使用者が操作部２３０を操作し開閉弁２４０を開状態としたときには（タイミングｔ２４）、ボウル部１１０の内部の水を排出あるいは置換することができない場合がある。具体的には、サイホン作用が発生しない場合がある。また、使用者が操作部２３０を操作し開閉弁２４０を開状態とすると、制御部１７４は、第２の時間Ｔ２をタイマ制御を開始する（タイミングｔ２４）。続いて、タイミングｔ２５〜ｔ２６の動作は、図５に関して前述したタイミングｔ４〜ｔ５の動作と同様である。
【００９９】
本具体例によれば、開閉弁２４０の開閉状態にかかわらず、制御部１７４は、電磁弁１５６が開いてから第１の時間Ｔ１が経過すると非常用電源１３１により電磁弁１５６を強制的に閉じる。また、使用者が開閉弁２４０を閉状態に維持していても、開閉弁２４０へ到達した洗浄水のうちの一部の水は、開閉弁２４０と排水ソケット本体２１０の流路との間の隙間から排出される。そのため、ボウル部１１０の内部の水がボウル面から溢れることをより確実に抑制することができる。  
なお、開閉弁２４０が開状態となったときに（タイミングｔ２４）、ボウル部１１０の内部の水を排出あるいは置換することができない場合には、使用者は、操作部２３０を再度操作しボウル部１１０の内部の水位を上昇させる必要がある。
【０１００】
図１０は、停電時における便器洗浄の動作のさらに他の具体例を例示するタイミングチャート図である。  
本具体例は、ボウル部１１０の内部の水位がボウル部１１０を洗浄可能な水位となってから初水位に戻るまで、使用者が開閉弁２４０を閉状態に維持する例である。
【０１０１】
タイミングｔ３１〜ｔ３３の動作は、図５に関して前述したタイミングｔ１〜ｔ２および図９に関して前述したタイミングｔ２３の動作と同様である。  
図９に関して前述したように、使用者が開閉弁２４０を閉状態に維持していても、開閉弁２４０へ到達した洗浄水のうちの一部の水は、開閉弁２４０と排水ソケット本体２１０の流路との間の隙間を通り排水管５０から排出される。そのため、ボウル部１１０の内部の水位が初水位に戻る場合がある。
【０１０２】
そこで、本具体例では、電磁弁１５６が開いてから第４の時間Ｔ４が経過すると、制御部１７４は、非常用電源１３１により電磁弁１５６を第３の時間Ｔ３だけ開く（タイミングｔ３４〜ｔ３５）。すると、リム吐水口１１３およびジェット吐水口１１１の少なくともいずれかからボウル部１１０へ洗浄水が再度供給される。第４の時間Ｔ４は、洗浄水が第１の時間Ｔ１にわたってボウル部１１０へ供給された後に（タイミングｔ３３以降）、洗浄水が再度供給されても、ボウル部１１０の内部の水がボウル面から溢れない時間である。
【０１０３】
本具体例によれば、ボウル部１１０の内部の水がボウル面から溢れることをより確実に抑制することができる。また、停電時における便器洗浄の動作を最後まで終了させることができる。そのため、次回の便器洗浄の動作をより早く開始させ、非常用電源１３１にかかる負担を低減させることができる。また、タイミングｔ３４〜ｔ３５における洗浄水の再度の供給量は、サイホン作用を発生させる供給量よりも少ない。そのため、タイミングｔ３４〜ｔ３５における洗浄水の供給によりサイホン作用が発生することを抑え、破封が生ずることを抑えることができる。
【０１０４】
図１１は、停電時における便器洗浄の動作のさらに他の具体例を例示するフローチャート図である。
【０１０５】
使用者が操作部２３０を操作することでスイッチが入ると（ステップＳ２０１〜Ｓ２０３）、制御部１７４は、電磁弁１５６を開き（ステップＳ２０５）、タイマ制御のカウントを開始させる（ステップＳ２０７）。続いて、制御部１７４は、タイマ制御のカウントが第１の時間Ｔ１以上であるか否かを判断する（ステップＳ２０９）。タイマ制御のカウントが第１の時間Ｔ１以上でない場合には（ステップＳ２０９：ｎｏ）、制御部１７４は、タイマ制御のカウントが第１の時間Ｔ１以上であるか否かを再度判断する（ステップＳ２０９）。一方、タイマ制御のカウントが第１の時間Ｔ１以上である場合には（ステップＳ２０９：ｙｅｓ）、制御部１７４は、タイマ制御のカウントをリセットし（ステップＳ２１１）、電磁弁１５６を閉じる（ステップＳ２１３）。
【０１０６】
続いて、制御部１７４は、操作部２３０のスイッチが切れている（開閉弁２４０が開状態である）か否かを判断する（ステップＳ２１５）。操作部２３０のスイッチが切れている場合には（ステップＳ２１５：ｙｅｓ）、制御部１７４は、タイマ制御のカウントを開始させる（ステップＳ２２３）。一方、操作部２３０のスイッチが切れていない場合には（ステップＳ２１５：ｎｏ）、制御部１７４は、タイマ制御のカウントを開始させ（ステップＳ２１７）、タイマ制御のカウントが第４の時間Ｔ４以上であるか否かを判断する（ステップＳ２１９）。
【０１０７】
タイマ制御のカウントが第４の時間Ｔ４以上でない場合には（ステップＳ２１９：ｎｏ）、制御部１７４は、タイマ制御のカウントが第４の時間Ｔ４以上であるか否かを再度判断する（ステップＳ２１９）。一方、タイマ制御のカウントが第４の時間Ｔ４以上である場合には（ステップＳ２１９：ｙｅｓ）、制御部１７４は、タイマ制御のカウントをリセットし（ステップＳ２２１）、タイマ制御のカウントを開始させる（ステップＳ２２３）。
【０１０８】
続いて、制御部１７４は、タイマ制御のカウントが第２の時間Ｔ２以上であるか否かを判断する（ステップＳ２２５）。タイマ制御のカウントが第２の時間Ｔ２以上でない場合には（ステップＳ２２５：ｎｏ）、制御部１７４は、タイマ制御のカウントが第２の時間Ｔ２以上であるか否かを再度判断する（ステップＳ２２５）。一方、タイマ制御のカウントが第２の時間Ｔ２以上である場合には（ステップＳ２２５：ｙｅｓ）、制御部１７４は、タイマ制御のカウントをリセットし（ステップＳ２２７）、電磁弁１５６を開き（ステップＳ２２９）、タイマ制御のカウントを開始させる（ステップＳ２３１）。
【０１０９】
続いて、制御部１７４は、タイマ制御のカウントが第３の時間Ｔ３以上であるか否かを判断する（ステップＳ２３３）。タイマ制御のカウントが第３の時間Ｔ３以上でない場合には（ステップＳ２３３：ｎｏ）、制御部１７４は、タイマ制御のカウントが第３の時間Ｔ３以上であるか否かを再度判断する（ステップＳ２３３）。一方、タイマ制御のカウントが第３の時間Ｔ３以上である場合には（ステップＳ２３３：ｙｅｓ）、制御部１７４は、タイマ制御のカウントをリセットし（ステップＳ２３５）、電磁弁１５６を閉じ（ステップＳ２３７）、停電時における便器洗浄の動作を終了する（ステップＳ２３９）。  
本具体例によれば、図１０に関して前述した効果と同様の効果が得られる。
【０１１０】
次に、本実施形態の開閉弁２４０の構造および動作について、図面を参照しつつ説明する。  
図１２は、本実施形態の開閉弁の近傍を拡大した模式的断面図である。  
図１３は、本実施形態の開閉弁を表す模式的平面図である。  
図１４は、本実施形態の排水ソケット本体と開閉弁との関係を説明する模式図である。
【０１１１】
図１２（ａ）は、図２（ａ）に表した範囲Ａ１１を拡大した模式的断面図である。図１２（ｂ）は、図２（ｂ）に表した範囲Ａ１２を拡大した模式的断面図である。図１３（ａ）は、本実施形態の開閉弁２４０を上方から眺めた模式的平面図である。図１３（ｂ）は、本実施形態の開閉弁２４０を正面から眺めた模式的平面図である。図１３（ｃ）は、本実施形態の開閉弁２４０を側方から眺めた模式的平面図である。図１４（ａ）は、本実施形態の排水ソケット２００を側方から眺めた模式的平面図である。図１４（ｂ）は、図１４（ａ）に表した切断面Ｂ−Ｂにおける模式的断面図である。
【０１１２】
図１３（ａ）〜図１３（ｃ）に表したように、本実施形態の開閉弁２４０は、弁体２４１と、支持軸２４３と、を有する。図１４（ａ）および図１４（ｂ）に表したように、支持軸２４３は、排水ソケット本体２１０の内側壁（流路内壁）２１１と係合可能である。そして、開閉弁２４０は、支持軸２４３において排水ソケット本体２１０に対して回動自在に軸支されている。つまり、開閉弁２４０は、例えば、図１２（ａ）に表した矢印Ａ１および図１２（ｂ）に表した矢印Ａ２のように、支持軸２４３を略中心として上下方向に回動可能である。また、開閉弁２４０の支持軸２４３は、操作部２３０のインナーワイヤ２３３（図１（ａ）参照）と連結されている。支持軸２４３は、インナーワイヤ２３３とは異なる他の部材を介してインナーワイヤ２３３と連結されていてもよい。開閉弁２４０が支持軸２４３を略中心として回動することで、弁体２４１は、排水ソケット本体２１０の流路断面積を変化させることができる。
【０１１３】
図１２（ａ）に表したように、開閉弁２４０は、通常時には、開状態に維持されている。言い換えれば、開閉弁２４０は、通常時には、排水ソケット本体２１０の流路断面を開状態としている。このときに、開閉弁２４０は、排水管５０の近傍すなわち排水ソケット２００の下流側に位置している。そのため、供給電力があるときの通常の便器洗浄において、水洗大便器１０の排出性能に影響を与えることなく、汚物等が詰まることを抑えた通常通りの便器洗浄を行うことができる。
【０１１４】
また、図１２（ａ）に表したように、開閉弁２４０が排水ソケット本体２１０の流路断面を開状態としているときにおいて、開閉弁２４０の弁体２４１は、平面視で排水ソケット本体２１０の流路断面の中心点を中心として外側に円を描いた円弧状に形成されており、排水ソケット本体２１０の内側壁２１１に沿った形状を有する。また、弁体２４１の表面（洗浄水が流れる側の面）は、排水ソケット本体２１０の内側壁２１１の表面と同一面あるいはそれよりも後退した位置の面として設けられている。そのため、供給電力があるときの通常の便器洗浄において、排水ソケット本体２１０の流路を流れる洗浄水が受ける抵抗を抑制することができる。これにより、水洗大便器１０の排出性能に影響を与えることなく、汚物等が詰まることを抑えた通常通りの便器洗浄を行うことができる。
【０１１５】
続いて、図１２（ａ）に表した矢印Ａ１のように、使用者は、操作部２３０を適宜操作することで支持軸２４３を略中心として開閉弁２４０を回動させ、開閉弁２４０により排水ソケット本体２１０の流路断面積を狭くすることができる。ここで、開閉弁２４０は、支持軸２４３を略中心として上下方向に回動可能であるため、開閉弁２４０がしばらく使用されず、弁体２４１が排水ソケット本体２１０の内側壁２１１に固着していても、回動操作により簡単に固着状態を破壊することができる。そのため、停電時には、使用者の手動操作または非常用電源１３１により、開閉弁２４０の安定した回動動作が可能となり、良好に汚物等を排水管５０へ排出することができる。そのため、使用者は、バケツ等で水を汲む作業を行うことなく、簡単に良好な便器洗浄を行うことができる。
【０１１６】
また、開閉弁２４０および排水ソケット本体２１０は、樹脂により形成されている。そして、開閉弁２４０を形成する樹脂と、排水ソケット本体２１０を形成する樹脂と、が互いに接触する。つまり、開閉弁２４０と排水ソケット本体２１０とは、例えばゴムなどのパッキンにより密着するわけではない。
【０１１７】
そのため、本実施形態では、弁体２４１の先端部（支持軸２４３とは反対側の端部）２４１ａと、排水ソケット本体２１０の内側壁２１１と、の間に隙間が存在する。そのため、図１２（ｂ）に表した矢印Ａ３のように、排水トラップ部１２０を通過し排水ソケット本体２１０に流入した水は、弁体２４１の先端部２４１ａと排水ソケット本体２１０の内側壁２１１との間の隙間を通過し排水管５０へ排出される。これにより、リム吐水口１１３およびジェット吐水口１１１の少なくともいずれかから供給される洗浄水によりボウル部１１０の内部の水位が上昇するときに、例えば排水トラップ部１２０のトラップ頂部１２３（図２（ａ）および図２（ｂ）参照）に空気が溜まることを抑え、排水トラップ部１２０の内部の空気を流れやすくすることができる。そのため、排水トラップ部１２０をより確実に満水にして、より確実にサイホン作用を引き起こすことができる。
【０１１８】
なお、図１２（ｂ）に表した状態では、弁体２４１の周縁部が排水ソケット本体２１０の内側壁２１１と接触（線接触）しているが、弁体２４１と排水ソケット本体２１０の内側壁２１１との接触状態は、これだけに限定されるわけではない。例えば、水洗大便器１０の排出性能に影響を与えない程度の突起部が排水ソケット本体２１０の内側壁２１１に設けられ、弁体２４１の周端部の表面がその突起部に接触（面接触）してもよい。
【０１１９】
また、図１２（ａ）に表したように、開閉弁２４０が排水ソケット本体２１０の流路断面を開状態としているときに、支持軸２４３は、弁体２４１よりも上方に位置する。つまり、支持軸２４３から弁体２４１の先端部２４１ａへ向かう方向は、略下方となっている。そして、図１２（ａ）に表した矢印Ａ１のように、開閉弁２４０は、支持軸２４３を略中心として下方から上方へ向かって回動することで、排水ソケット本体２１０の流路断面積を狭くする。そのため、汚物等が弁体２４１の先端部２４１ａに引っ掛かったり、開閉弁２４０が回動したときに汚物等を挟み込んだりすることを抑えることができる。また、水洗大便器１０の排出性能に影響を与えることなく、通常通りの便器洗浄を行うことができる。
【０１２０】
また、図１２（ｂ）に表したように、開閉弁２４０が排水ソケット本体２１０の流路断面積を狭くしているときに、支持軸２４３は、弁体２４１の先端部２４１ａより上方に位置する。そのため、図１２（ｂ）に表した矢印Ａ４のように、排水トラップ部１２０を通過し弁体２４１に到達した洗浄水は、支持軸２４３の方向ではなく先端部２４１ａの方向へ向かって流れる。これにより、汚物等を含む洗浄水が支持軸２４３の方向へ流れることで、支持軸２４３に詰まりが生じたり、支持軸２４３が脆化することを抑えることができる。
【０１２１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便器本体１００および排水ソケット２００などが備える各要素の形状、寸法、材質、配置などや排水ソケット本体２１０および操作部２３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１２２】
１０ 水洗大便器、  ５０ 排水管、  １００ 便器本体、  １１０ ボウル部、  １１１ ジェット吐水口、  １１３ リム吐水口、  １２０ 排水トラップ部、  １２１ 下流端、  １２３ トラップ頂部、  １３１ 非常用電源、  １３３ 報知手段、  １５０ 洗浄水供給手段、  １５１ 給水路、  １５２ 止水栓、  １５３ ストレーナ、  １５４ 分岐金具、  １５５ 定流量弁、  １５６ 電磁弁、  １５７ 切替弁、  １５９ リム側給水路、  １６１ タンク側給水路、  １６２ ポンプ側給水路、  １６３ ジェット側給水路、  １６３ａ ジェット側給水路頂部、  １６４ リム吐水用バキュームブレーカ、  １６５ 戻り管路、  １６６ ジェット吐水用バキュームブレーカ、  １６７ フロート式逆止弁、  １６８ オーバーフロー流路、  １６８ａ オーバーフロー口、  １６９ フロート式逆止弁、  １７１ 水抜栓、  １７２ トレイ、  １７３ 加圧ポンプ、  １７４ 制御部、  １７５ 上端フロートスイッチ、  １７６ 下端フロートスイッチ、  １７７ 貯水タンク、  １７８ フラッパー弁、  ２００ 排水ソケット、  ２１０ 排水ソケット本体、  ２１１ 内側壁、  ２２０ パッキン、  ２３０ 操作部、  ２３１ アウターチューブ、  ２３３ インナーワイヤ、  ２３６ 把持部、  ２４０ 開閉弁、  ２４１ 弁体、  ２４１ａ 先端部、  ２４３ 支持軸、  ３００ 排水トラップ機構
【要約】      （修正有）【課題】停電時においても使用者がバケツ等で水を汲む作業を行うことなく、容易にあるいは確実に便器洗浄を行うことができる水洗大便器を提供する。【解決手段】ボウル部１１０と、ボウル部に接続され溜水を形成する排水トラップ機構と、供給電力により電気的に駆動されボウル部に洗浄水を供給する洗浄水供給手段１５０と、停電時に洗浄水供給手段を非常用電源に１３１より駆動させる制御部１７４と、を備え、排水トラップ機構は、ボウル部の内部の水位を初期水位よりも上昇させるため排水トラップ機構を機械的に変動させる可動部と、使用者の操作に基づいて可動部を作動させる操作部２３０と、を有し、操作部は、停電時に使用者の操作に基づいて可動部を作動させるとともに操作信号を制御部に送信し、制御部は、操作信号を受信すると洗浄水供給手段を作動させボウル部に洗浄水を供給する。【選択図】図３【図１】
0005447706.tif 000002
【図２】
0005447706.tif 000003
【図３】
0005447706.tif 000004
【図４】
0005447706.tif 000005
【図５】
0005447706.tif 000006
【図６】
0005447706.tif 000007
【図７】
0005447706.tif 000008
【図８】
0005447706.tif 000009
【図９】
0005447706.tif 000010
【図１０】
0005447706.tif 000011
【図１１】
0005447706.tif 000012
【図１２】
0005447706.tif 000013
【図１３】
0005447706.tif 000014
【図１４】
0005447706.tif 000015